(57)【要約】【課題】テレビ装置は、リモコンなどの操作装置を用いることで遠隔制御することができるが、高機能になるにつれ、操作装置の操作手順は複雑で、利用者にとって使いづらい場合があるという課題がある。【解決手段】本発明は、表面をなぞったりタップしたりするタッチ方法により入力を受け付け、次に可能な操作を示す次操作ＩＤと関連付けられたタッチ方法案内情報によりタッチ方法案内表示を実現する操作装置を提案するものである。また、この操作装置と、テレビ画面上のタッチ方法に応じた位置に処理案内表示を実現するテレビ装置とから、構成されるテレビシステムも提案する。【選択図】            図２
2010146063.tif 000002
【特許請求の範囲】
【請求項１】
表面をなぞったりタップしたりするタッチ方法により入力を受け付けるタッチ入力部と、
タッチ入力部にて次に可能な操作を示す次操作ＩＤを取得する次操作ＩＤ取得部と、
次操作ＩＤとタッチ方法案内情報を関連付けたテーブルを保持するタッチ方法案内テーブル保持部と、
取得した次操作ＩＤに応じタッチ方法案内テーブルを用いて取得する案内情報によりタッチ方法案内表示が可能な案内表示部と、
を有する操作装置。
【請求項２】
タッチ入力部と、案内表示部とは、タッチパネルによって構成されている請求項１に記載の操作装置。
【請求項３】
タッチ方法案内テーブル保持部は、タッチ方法案内テーブルとして、タッチ方法案内情報としてなぞる方向を表示するための情報であるなぞり方向情報を所定の次操作ＩＤと関連付ける第一テーブルを有する請求項１または２に記載の操作装置。
【請求項４】
タッチ方法案内テーブル保持部は、タッチ方法案内テーブルとして、タッチ方法案内情報としてタップ位置を表示するための情報であるタップ位置情報を所定の次操作ＩＤと関連付ける第二テーブルを有する請求項１から３のいずれか一に記載の操作装置。
【請求項５】
テレビ装置と請求項１から４のいずれか一に記載の操作装置とからなるテレビシステムであって、
テレビ装置は、
次操作ＩＤと、次操作ＩＤに基づいて操作した結果実行される処理を示す次処理ＩＤとを関連付けたＩＤテーブルを保持するＩＤテーブル保持部と、
次処理ＩＤを取得する次処理ＩＤ取得部と、
次処理ＩＤと実行される処理の処理案内情報を関連付けた処理案内テーブルを保持する処理案内テーブル保持部と、
取得した次処理ＩＤに応じて処理案内テーブルを用いて取得する処理案内情報によりテレビ画面上のタッチ方法に応じた位置に処理案内表示が可能な処理案内表示部と、
を有するテレビシステム。
【請求項６】
表面をなぞったりタップしたりするタッチ方法により入力を受け付けるタッチ入力ステップと、
次に可能な操作を示す次操作ＩＤを取得する次操作ＩＤ取得ステップと、
取得した次操作ＩＤに応じ、次操作ＩＤとタッチ方法案内情報を関連付けたテーブルであるタッチ方法案内テーブルを用いて取得する案内情報によりタッチ方法案内表示を実行する案内表示ステップと、
からなる操作プログラム。
【請求項７】
テレビ装置と請求項１から４のいずれか一に記載の操作装置とからなるテレビシステムにおける操作プログラムであって、
操作装置にて、
表面をなぞったりタップしたりするタッチ方法により入力を受け付けるタッチ入力ステップと、
受け付けたタッチ入力信号から操作命令を生成し、テレビ装置に対して出力する操作命令出力ステップと、
次に可能な操作を示す次操作ＩＤを取得する次操作ＩＤ取得ステップと、
取得した次操作ＩＤに応じ、次操作ＩＤとタッチ方法案内情報を関連付けたテーブルであるタッチ方法案内テーブルを用いて取得する案内情報によりタッチ方法案内表示を実行する案内表示ステップと、を実行し、
テレビ装置にて、
操作装置からの操作命令より次処理ＩＤを取得する次処理ＩＤ取得ステップと、
取得した次処理ＩＤに応じて処理案内テーブルを用いて取得する処理案内情報によりテレビ画面上のタッチ方法に応じた位置に処理案内表示を実行する処理案内表示ステップと、を実行する操作プログラム。
【発明の詳細な説明】
【技術分野】
【０００１】
本発明は、タッチ入力を受け付ける操作装置において、次に可能な操作に関するタッチ方法の案内情報の表示を可能とする技術に関するものである。
【背景技術】
【０００２】
テレビ装置などの映像出力装置は、リモコンなどの操作装置を用いることで遠隔制御することができるが、映像出力装置等本体の機能は年々追加されているため、操作装置の操作手順は複雑化している。
【０００３】
上記操作手順の複雑さを解消するために、表示画面にリモコン操作案内映像などを表示させ、映像を見ながらリモコンの操作を行なうことができる映像出力装置はすでに提案されている（特許文献１参照。）。
【特許文献１】特開２００７−２２８１６３号公報
【発明の開示】
【発明が解決しようとする課題】
【０００４】
しかしながら、上記特許文献１で示される手法は、一定の操作キーを有するリモコンなどの操作装置の操作案内を表示することを目的とするものであり、入力の方法が無限に存在するタッチパネルなどの操作装置に対して対応させることは困難である。
【課題を解決するための手段】
【０００５】
本発明はかかる実情に鑑み、表面をなぞったりタップしたりするタッチ方法により入力を受け付け、次に可能な操作を示す次操作ＩＤと関連付けられたタッチ方法案内情報によりタッチ方法案内表示を実現する操作装置を提案するものである。また、この操作装置と、タッチ方法に応じた位置に処理案内表示を実現するテレビ装置とから、テレビシステムを構成する場合もある。
【発明の効果】
【０００６】
以上、説明したように本件発明に係る操作装置は、タッチ操作の案内手順が操作装置自体に表示されるために、利用者は複雑な操作を熟知することなしに所望の操作を実現でき、便利である。特に入力の方法が無限に存在するタッチパネルなどの操作装置であっても、案内表示可能であるため、利便性が高い。
【０００７】
また、操作装置とテレビ装置からなるテレビシステムの場合には、操作装置の表面への表示のみでは表示しきれない情報についてもテレビ装置の表示画面へ案内表示が可能となるため、利用者の利便性をより高める効果が期待できる。
【発明を実施するための最良の形態】
【０００８】
以下に、各発明を実施するための最良の形態を説明する。なお、本発明はこれら実施の形態に何ら限定されるものではなく、その要旨を逸脱しない範囲において、種々なる態様で実施しうる。実施形態１には請求項１から４と６を、実施形態２には請求項５と７について記した。
【０００９】
また、以下に記載する各機能ブロックは、ハードウェア、またはメモリ上に展開しハードウェアを制御することでその作用が得られるソフトウェア、またはハードウェア及びソフトウェアの両方として実現されうる。具体的には、コンピュータを利用するものであれば、ＣＰＵ、メモリ、ハードディスクドライブ、ＣＤ−ＲＯＭ／ＤＶＤ−ＲＯＭなどの読み取りドライブ、各種通信用の送受信ポート・インターフェイス・その他の周辺装置などのハードウェア構成部、それらハードウェアを制御するためのドライバプログラム、その他アプリケーションプログラムなどが挙げられる。
【００１０】
さらに、この発明は装置またはシステムとして実現できるのみでなく、方法としても実現可能である。またこのような発明の一部をソフトウェアとして構成することもできる。さらにそのようなソフトウェアをコンピュータに実行させるために用いるソフトウェア製品、及び同製品を固定した記録媒体も、当然にこの発明の技術的な範囲に含まれる（本明細書の全体を通じて同様である。）
【００１１】
<<実施形態１>>
【００１２】
<概要>  本実施形態の概要について説明する。本実施形態は、表面をなぞったりタップしたりするタッチ方法により入力を受け付け、次に可能な操作を示す次操作ＩＤと関連付けられたタッチ方法案内情報によりタッチ方法案内表示を実現する操作装置である。
【００１３】
図１は、本実施形態の操作装置の一例を示すものである。図では、操作装置として、半球状のタッチパネルを有するデバイスを上方から見た図（Ａ）と、真横から見た図（Ｂ）として示した。利用者は、デバイスの半球部分の表面をなぞったりタップしたりするタッチ方法によって入力を行い、テレビ装置や録画再生装置などに対して操作命令の信号を送信する。
【００１４】
また、デバイスの半球部分には、次に可能な操作を示すタッチ方法案内が表示される。例えば、地上デジタル放送の再生時に、その後放送予定の番組内容を表示させる操作が可能な場合において、（ａ）で示したように下向き矢印と、「この後」との文字案内の表示が行われる。これによって、利用者は半球面の中央から下部へ向かってなぞると、現在再生中の番組の次に放送予定の番組内容を表示させることができることを感覚的に認識することができる。（加えて本例では、操作装置に、テレビ装置にて現在再生中の番組のチャネル名を表示した例を示した。）あるいは、地上デジタル放送の再生時に、番組表を表示させる操作が可能な場合において、（ｂ）で示したように番組表のマーク（中央部の格子マーク）と、「番組表」との文字案内の表示が行われる。これによって、利用者は半球面の中央部分をタップすると、現在再生中の番組が切り替わり番組表を表示させることができることを感覚的に認識することができる。
【００１５】
なお、これは一例であり、操作装置は必ずしも半球形状に限定されるわけではない。また操作装置は、タッチ方式による入力を受け付ける操作部分以外に、通常の押下方式のキーなどが備え付けられていてもよい。さらに操作装置は、矢印やマーク、文字表記などの表示を行なうが、その形状、色彩等は図に限定されるわけではない。
【００１６】
<構成>  図２は、本実施形態における操作装置の機能ブロックの一例を示したものである。  図２に示す本実施形態の「操作装置」（０２００）は、「タッチ入力部」（０２０１）と、「次操作ＩＤ取得部」（０２０２）と、「タッチ方法案内テーブル保持部」（０２０３）と、「案内表示部」（０２０４）と、を有する。
【００１７】
（操作装置  ０２００）  「操作装置」（０２００）は、表面をなぞったりタップしたりするタッチ方法により入力を受け付ける機能を有する装置一般を広く含み、多くの場合、テレビ装置などの外部装置に対して操作命令を出力する。本件の操作装置は、主にリモコンなどの装置を想定しており、特にタッチパネルによるタッチ入力、案内表示などが可能な場合がある。
【００１８】
（タッチ入力部  ０２０１）  「タッチ入力部」（０２０１）は、表面をなぞったりタップしたりするタッチ方法により入力を受け付ける。入力は、直接指をタッチ入力部に接触させて実行可能なだけでなく、タッチッペンなどを用いて間接的に実行可能であってもよい。表面をなぞるタッチ入力においては、接触箇所を移動させた際の移動量、方向（上下左右、回転など）、速度、接触時間、接触箇所の個数などを検知する場合がある。加えて、接触形状や、色彩などが検知できるとしてもよい。これは、タッチ入力面にＣＣＤ、ＣＭＯＳ素子などを分散配置することによって実現可能である。また、表面をタップするタッチ入力においては、ワンタップだけでなく、ダブルタップが検知できる場合もある。
【００１９】
（次操作ＩＤ取得部  ０２０２）  「次操作ＩＤ取得部」（０２０２）は、次操作ＩＤを取得する。次操作ＩＤは、タッチ入力部にて次に可能な操作を示す識別情報をいう。タッチ受付部にて受付可能な各操作に対して識別情報が割り当てられているが、次操作ＩＤとして取得されるものは、現在の状態（モード）に応じて限定される場合がある。これについて、図３を用いて以下に説明する。
【００２０】
図３には、操作と状態遷移の相関の一例を示した。左欄に示した現在の状態（モード）にて、中央欄に示した次操作を実行した場合に、右欄に示した次の状態へと遷移する。例えば、地上デジタル放送の再生時には、次に下方向になぞる操作を実行することで、今後放送予定の番組の紹介表示へと状態が遷移する。本例では地上デジタル放送の再生時には、上方向へなぞる操作は状態遷移が割り当てられておらず、次に可能な操作ではない。このような操作のＩＤについては次操作ＩＤとして取得されない。したがって、タッチ入力部にて受け付けられた入力により、モードが地上デジタル放送の再生に切り替わった場合においては、次操作ＩＤとして、下方向、左右方向、回転方向のなぞりと、中央部分のタップを識別可能なＩＤが取得できる。
【００２１】
（タッチ方法案内テーブル保持部  ０２０３）  「タッチ方法案内テーブル保持部」（０２０３）は、タッチ方法案内テーブルを保持する。タッチ方法案内テーブルは、次操作ＩＤとタッチ方法案内情報を関連付けたテーブルである。タッチ方法案内情報は、タッチ方法を案内するための情報であり、文字、記号、色、点滅の仕方などを特定することでタッチの種類（なぞり、タップ）、方向、位置などを示す。（これについては、図４を用いて後述する。）
【００２２】
また、タッチ方法案内テーブル保持部は、タッチ方法案内テーブルとして、タッチ方法案内情報としてなぞる方向を表示するための情報であるなぞり方向情報を所定の次操作ＩＤと関連付ける第一テーブルを有する場合がある。なぞり方向情報には、始点と終点が直線的な場合（上下左右等）だけでなく、回転（右回り、左回り）などが含まれるとしてもよい。第一テーブルは、例えば、右方向へのなぞりを示す次操作ＩＤと、右向き矢印マークの表示を示すタッチ方法案内情報などとが関連付けられて、構成される。
【００２３】
加えて、タッチ方法案内テーブル保持部は、タッチ方法案内テーブルとして、タッチ方法案内情報としてタップ位置を表示するための情報であるタップ位置情報を所定の次操作ＩＤと関連付ける第二テーブルを有する場合がある。タップ位置情報には、入力領域の絶対的位置を示す情報のほかに、先の入力位置からの相対的な位置関係から導かれる位置情報が含まれる場合もある。第二テーブルは、例えば、中央部分のタップを示す次操作ＩＤと、中央部分に所定マークの表示を示すタッチ方法案内情報などとが関連付けられて、構成される。
【００２４】
（案内表示部  ０２０４）  「案内表示部」（０２０４）は、取得した次操作ＩＤに応じタッチ方法案内テーブルを用いて取得する案内情報によりタッチ方法案内表示を実現する。タッチ方法案内表示は、タッチ方法を案内するための表示であり、文字、記号、色、点滅など様々な態様が含まれる。
【００２５】
図４には、操作とタッチ方法案内の一例を示した。左側になぞり操作、右側にタップ操作、さらにそれぞれ左欄に示した操作と、右欄に示したタッチ方法案内とが対応している。例えば、左右両方向の矢印のタッチ方法案内は、左右方向へのなぞり操作が可能なことを示している。また、一の操作に対して、複数のタッチ方法案内が対応付けられている場合がある。つまり、同じ操作（例えば、中央部分のタップ）を案内する場合であっても、案内するタッチ方法（例えば、該当箇所にマーク点滅のみ、文字表示など）を違えることでより状況に即した案内が可能となる。また、タッチ方法案内表示において、なぞるタッチ方法とタップする方法とを、区別可能に示唆するために表示が行なわれてもよい。例えば、なぞるタッチ方法とタップする方法とで、表示の際の色彩を異なるものとすることで区別するものなどが例示できる。なお、タッチ方法案内テーブルとしては、各操作に割り当てた次操作ＩＤと、タッチ方法案内を示すタッチ方法案内情報とが、関連付けられて構成されている。
【００２６】
<ハードウェア構成>  図５は、本実施形態のハードウェア構成の一例を示す概略図である。この図を利用して、操作装置の処理実行におけるそれぞれのハードウェア構成部の働きについて説明する。操作装置（０５００）は、次操作ＩＤ取得部等における処理を実現するために「ＣＰＵ（中央演算装置）」（０５０１）と、「メインメモリ」（０５０２）と、「記憶装置（又は記憶媒体）」（０５０３）と、を備える。また、記憶装置にて、タッチ方法案内テーブル保持部の機能を実現する。さらに、上記ハードウェア構成部に加えて、タッチ入力部における処理を実現するために「Ｉ／Ｏ」（０５０４）を備え、案内表示部における処理を実現するためにＩ／Ｏ（出力インターフェイス）を介して表示画面等と接続している。これらは、「システムバス」（０５０５）などのデータ通信経路によって相互に接続され、情報の送受信や処理を行う。
【００２７】
記憶装置（０５０３）は、ＣＰＵ（０５０１）にて実行される各種プログラム（アドレス０１〜０３）や、テーブル（アドレス０４、０５）などを記憶している。また、メインメモリ（０５０２）は記憶装置に記憶されているプログラムを実行するために、そのプログラムを読み出して展開する領域であるワーク領域（アドレス１１〜１３）と、データなどを一時的に格納するデータ領域（アドレス１００〜３００）とを提供する。さらに、このメインメモリや記憶装置にはそれぞれ複数のメモリアドレスが割り当てられており、ＣＰＵで実行されるプログラムは、そのメモリアドレスを特定しアクセスすることで相互にデータのやり取りを行い、処理することが可能となっている。以上が各ハードウェア構成の機能である。
【００２８】
まず、操作装置（０５００）の電源を入れると、記憶装置（０５０３）に記憶されているタッチ入力プログラム（タッチ入力部）（アドレス０１）と、次操作ＩＤ取得プログラム（次操作ＩＤ取得部）（アドレス０２）と、案内表示プログラム（案内表示部）（アドレス０３）と、がメインメモリのワーク領域（アドレス１１〜１３）にそれぞれ展開される。
【００２９】
第一段階としては、操作装置はＩ／Ｏ（入力インターフェイス）（０５０４）を介するなどして、タッチ入力イベントを受け付け、これをトリガとして、メインメモリのワーク領域に展開されたタッチ入力プログラム（アドレス１１）がＣＰＵによって実行される。
【００３０】
タッチ入力プログラムは、Ｉ／Ｏ（入力インターフェイス）を介するなどして、タッチ入力信号を受け付ける。続いて、タッチ入力プログラムの実行によって、受け付けられたタッチ入力信号から、タッチ方法の種類（なぞり、タップなど）、位置、接触時間、さらに接触箇所を移動させた際にはその移動量、移動方向、速度などの情報を抽出し、タッチ入力情報として一旦メインメモリのデータ領域（アドレス２００）などに格納しておく。タッチ入力情報がメインメモリなどに格納されたことがトリガとなり、メインメモリのワーク領域に展開された次操作ＩＤ取得プログラム（アドレス１２）がＣＰＵによって実行される。なお、タッチ入力情報に基づいて操作命令が生成され、テレビ装置などの外部装置に対して、Ｉ／Ｏ（出力インターフェイス）（０５０４）を介するなどして、出力されることがある。
【００３１】
次操作ＩＤ取得プログラムは、メインメモリに格納された現在の状態（モード）を識別するための情報（アドレス１００）に基づいて次操作ＩＤを取得する。予め記憶装置に、現在の状態と、次操作ＩＤと、が関連付けられた次操作テーブル（アドレス０４）が格納されており、このテーブルに基づいて次操作ＩＤが取得できるとしてもよい。まず、タッチ入力情報（アドレス２００）で示される操作を実行後に状態遷移をし、現在の状態を識別するための情報（アドレス１００）が書き換わる。このとき、遷移後の状態が、例えば、地上デジタル放送の再生中である場合には、次操作としては、放送波の切替、チャネルの切替、番組表の表示、その後放送予定の番組内容を表示させる操作などが可能であり、これらを示す次操作ＩＤが、次操作テーブルに基づいて取得されることになる。取得した次操作ＩＤは、一旦メインメモリのデータ領域（アドレス３００）などに格納しておく。次操作ＩＤがメインメモリなどに格納されたことがトリガとなり、メインメモリのワーク領域に展開された案内表示プログラム（アドレス１３）がＣＰＵによって実行される。
【００３２】
案内表示プログラムは、メインメモリに格納された次操作ＩＤ（アドレス３００）から導かれるタッチ方法案内情報によってタッチ方法案内表示を実行する。具体的には、予め記憶装置に、次操作ＩＤと、タッチ方法案内情報と、が関連付けられたタッチ方法案内テーブル（アドレス０５）が格納されており、このテーブルに基づいてタッチ方法案内情報が取得できるとしてもよい。さらに、取得したタッチ方法案内情報に基づいて、タッチ方法案内情報と、これに紐付けられている文字、記号などのコードを、予め用意されているテーブルなどに照らし合わせて文字等に変換し、グラフィックメモリに出力することによって、表示画面への表示を実現する。
【００３３】
なお、以上の説明においては、各部はソフトウェアで構成されているものとして説明したがハードウェアで構成されていてもよい。
【００３４】
<処理の流れ>  図６、７は、本実施形態の操作装置における操作方法の一例を示したものである。なお、以下に示す処理の流れは、計算機に実行させるためのプログラムで実行することができ、またこのプログラムを計算機によって読取り可能な記録媒体に記録することができる。（本明細書のその他の処理の流れについても同様である。）
【００３５】
まず、操作装置は表面をなぞったりタップしたりするタッチ方法により入力を受け付ける（タッチ入力ステップ  Ｓ０６０１）。次に、操作装置はタッチ入力部にて次に可能な操作を示す次操作ＩＤを取得する（次操作ＩＤ取得ステップ  Ｓ０６０２）。続いて、操作装置は取得した次操作ＩＤに応じタッチ方法案内テーブルを用いて取得する案内情報によりタッチ方法案内表示を実行する（案内表示ステップ  Ｓ０６０３）。以下にさらに詳細に説明する。
【００３６】
最初に、利用者のタッチ操作によって、操作装置は入力信号を受け付ける（Ｓ０７０１）。続いて、操作装置は受け付けたタッチ入力信号から、タッチ方法の種類（なぞり、タップなど）、位置、接触時間、さらに接触箇所を移動させた際にはその移動量、移動方向、速度などの情報を抽出する（Ｓ０７０２）。操作装置は受け付けたタッチ入力操作に基づいて、状態遷移を実行する（Ｓ０７０３）。現在の状態（モード）と、次操作ＩＤと、を関連付けたテーブルを用いて、操作装置は遷移後の状態に基づく次操作ＩＤを取得する（Ｓ０７０４）。その後、次操作ＩＤと、タッチ方法案内情報と、を関連付けたタッチ方法案内テーブルを用いて、操作装置はタッチ方法案内情報を取得する（Ｓ０７０５）。さらに、取得したタッチ方法案内情報に基づいて、タッチ方法案内情報と、これに紐付けられている文字、記号などのコードを、予め用意されているテーブルなどに照らし合わせて文字等に変換し、グラフィックメモリに出力することによって、表示画面へのタッチ方法案内表示を実現する（Ｓ０７０６）。なお、Ｓ０７０１〜Ｓ０７０３の処理が先のタッチ入力ステップに、Ｓ０７０４の処理が次操作ＩＤ取得ステップに、Ｓ０７０５、Ｓ０７０６の処理が案内表示ステップにそれぞれ該当する。
【００３７】
<効果>  本実施形態は、表面をなぞったりタップしたりするタッチ方法により入力を受け付け、次に可能な操作を示す次操作ＩＤと関連付けられたタッチ方法案内情報によりタッチ方法案内表示を実現する操作装置である。タッチ操作の案内手順が操作装置自体に表示されるために、利用者は複雑な操作を熟知することなしに所望の操作を実現でき、便利である。また、本件の場合には、入力の方法が無限に存在するタッチパネルなどの操作装置であっても、案内表示可能であるため、利便性が高い。
【００３８】
<<実施形態２>>
【００３９】
<概要>  本実施形態の概要について説明する。本実施形態は、テレビ装置と、実施形態１の操作装置とからなるテレビシステムである。テレビ装置は、テレビ画面上のタッチ方法に応じた位置に処理案内表示を実現する。
【００４０】
図８は、本実施形態のテレビシステムの一例を示すものである。図では、操作装置の用面に上向き矢印と、左右向き矢印が表示されている場面を示した。それぞれ、該当位置のタップ操作を促す表示である。
【００４１】
一方、操作装置からの操作命令の信号を受信するテレビ装置においては、その表示画面上に、図のような表示がなされる。つまり、上向き矢印（Ａ）においては、前の状態遷移に戻ることを示す「戻る」の文字表示が、左右向き矢印（Ｂ）においては、それぞれ視聴予約と、録画予約の実行モードへ遷移することを示す「視聴予約、「録画予約」の文字表示が行なわれている。これによって、テレビ装置の表示画面へ、操作装置の表面への表示のみでは表示しきれない情報についても表示可能となるため、利用者の利便性をより高める効果が期待できる。
【００４２】
なお、これは一例であり、操作装置や、テレビ装置自体の形態、及び、表示形態は必ずしも図に限定されるわけではない。
【００４３】
<構成>  図９は、本実施形態におけるテレビシステムの機能ブロックの一例を示したものである。  図９に示す本実施形態の「テレビシステム」（０９００）は、「操作装置」（０９１０）と、「テレビ装置」（０９２０）を有する。「操作装置」（０９１０）は、「タッチ入力部」（０９１１）と、「次操作ＩＤ取得部」（０９１２）と、「タッチ方法案内テーブル保持部」（０９１３）と、「案内表示部」（０９１４）と、を有する。さらに、「テレビ装置」（０９２０）は、「ＩＤテーブル保持部」（０９２１）と、「次処理ＩＤ取得部」（０９２２）と、「処理案内テーブル保持部」（０９２３）と、「処理案内表示部」（０９２４）と、を有する。「操作装置」（０９１０）については、実施形態１にて説明したものと同様であるため、説明は割愛する。
【００４４】
（テレビ装置  ０９２０）  「テレビ装置」（０９２０）は、操作装置からの操作命令の信号を受信し、表示画面上にコンテンツの再生等を実行する装置一般を広く含む。
【００４５】
（ＩＤテーブル保持部  ０９２１）  「ＩＤテーブル保持部」（０９２１）は、ＩＤテーブルを保持する。ＩＤテーブルは、次操作ＩＤと、次処理ＩＤとを関連付けたテーブルである。次処理ＩＤとは、次操作ＩＤに基づいて操作した結果実行される処理を示す識別情報である。次処理は、例えば、地上デジタル放送再生時に中央部分をタップする次操作に対して、次の状態に遷移する際に実行される処理である番組表表示の処理が次処理に該当する（図３参照）。
【００４６】
（次処理ＩＤ取得部  ０９２２）  「次処理ＩＤ取得部」（０９２２）は、次処理ＩＤを取得する。次処理ＩＤは、操作装置から送信される操作命令に含まれており、そこから抽出することで取得できる場合がある。あるいは、操作命令には次操作ＩＤが含まれており、まずは次操作ＩＤを抽出し、抽出した次操作ＩＤに応じて、先のＩＤテーブル保持部に保持されたＩＤテーブルを用いて次処理ＩＤを取得する場合もある。
【００４７】
（処理案内テーブル保持部  ０９２３）  「処理案内テーブル保持部」（０９２３）は、処理案内テーブルを保持する。処理案内テーブルは、次処理ＩＤと実行される処理の処理案内情報を関連付けたテーブルである。処理案内情報は、次に実行される処理を案内するための情報である。処理案内情報は、例えば、番組表の選択番組について視聴予約／録画予約の実行を問う次処理に対して、その視聴予約／録画予約を操作装置にて選択可能とするための文字情報が処理案内情報に該当する。
【００４８】
（処理案内表示部  ０９２４）  「処理案内表示部」（０９２４）は、取得した次処理ＩＤに応じて処理案内テーブルを用いて取得する処理案内情報によりテレビ画面上のタッチ方法に応じた位置に処理案内表示を実現する。テレビ装置の表示画面に文字、記号、点滅などの表現方法にて処理内容を表示する。
【００４９】
処理案内表示は、操作装置における処理操作を案内することを前提としており、図８のように操作装置の表示内容と連動している場合も多い。したがって、操作装置の表面への表示のみでは表示しきれない情報についても、テレビ装置の表示画面へ表示可能となる。具体的には、操作装置の表面へは矢印などマークのみを表示しておいて、テレビ装置の表示画面へは、マークで指示された操作を実行した際に行なわれる処理内容などの表示ができる。
【００５０】
<ハードウェア構成>  図１０は、本実施形態のハードウェア構成の一例を示す概略図である。この図を利用して、テレビシステムの処理実行におけるそれぞれのハードウェア構成部の働きについて説明する。なお、操作装置（１０１０）については、実施形態１にて説明したものと同様であるため、説明を割愛する。
【００５１】
テレビ装置（１０２０）は、次処理ＩＤ取得部等における処理を実現するために「ＣＰＵ（中央演算装置）」（１０２１）と、「メインメモリ」（１０２２）と、「記憶装置（又は記憶媒体）」（１０２３）と、を備える。また、記憶装置にて、ＩＤテーブル保持部と、処理案内テーブル保持部の機能を実現する。さらに、上記ハードウェア構成部に加えて、処理案内表示部における処理を実現するために「Ｉ／Ｏ」（１０２４）を介して表示画面等と接続している。これらは、「システムバス」（１０２５）などのデータ通信経路によって相互に接続され、情報の送受信や処理を行う。
【００５２】
記憶装置（１０２３）は、ＣＰＵ（１０２１）にて実行される各種プログラム（アドレス０１、０２）や、テーブル（アドレス０３、０４）などを記憶している。また、メインメモリ（１０２２）は記憶装置に記憶されているプログラムを実行するために、そのプログラムを読み出して展開する領域であるワーク領域（アドレス１１、１２）と、データなどを一時的に格納するデータ領域（アドレス１００〜３００）とを提供する。さらに、このメインメモリや記憶装置にはそれぞれ複数のメモリアドレスが割り当てられており、ＣＰＵで実行されるプログラムは、そのメモリアドレスを特定しアクセスすることで相互にデータのやり取りを行い、処理することが可能となっている。以上が各ハードウェア構成の機能である。
【００５３】
まず、テレビ装置（１０２０）の電源を入れると、記憶装置（１０２３）に記憶されている次処理ＩＤ取得プログラム（次処理ＩＤ取得部）（アドレス０１）と、処理案内表示プログラム（処理案内表示部）（アドレス０２）と、がメインメモリのワーク領域（アドレス１１、１２）にそれぞれ展開される。
【００５４】
第一段階としては、操作装置（１０１０）から出力される操作命令を、Ｉ／Ｏ（入力インターフェイス）（１０２４）を介するなどして受け付ける。これをトリガとして、メインメモリのワーク領域に展開された次処理ＩＤ取得プログラム（アドレス１１）がＣＰＵによって実行される。
【００５５】
次処理ＩＤ取得プログラムは、受け付けられた操作命令から、次処理ＩＤを抽出し、一旦メインメモリのデータ領域（アドレス１００）などに格納しておく。あるいは、操作命令には次操作ＩＤが含まれており、まずは次操作ＩＤを抽出し、抽出した次操作ＩＤに応じて、次処理ＩＤを取得する場合もある。次操作ＩＤから次処理ＩＤを導く際には、予め記憶装置に格納されている、次操作ＩＤと、次処理ＩＤと、が関連付けられたＩＤテーブル（アドレス０３）を用いて取得する。次処理ＩＤがメインメモリなどに格納されたことがトリガとなり、メインメモリのワーク領域に展開された処理案内表示プログラム（アドレス１２）がＣＰＵによって実行される。
【００５６】
処理案内表示プログラムは、メインメモリに格納された次処理ＩＤ（アドレス１００）から導かれる処理案内情報によって処理案内表示を実行する。具体的には、予め記憶装置に、次処理ＩＤと、処理案内情報と、が関連付けられた処理案内テーブル（アドレス０４）が格納されており、このテーブルに基づいて処理案内情報が取得できるとしてもよい。さらに、取得した処理案内情報に基づいて、処理案内情報と、これに紐付けられている文字、記号などのコードを、予め用意されているテーブルなどに照らし合わせて文字等に変換し、グラフィックメモリに出力することによって、表示画面への表示を実現する。
【００５７】
なお、以上の説明においては、各部はソフトウェアで構成されているものとして説明したがハードウェアで構成されていてもよい。
【００５８】
<処理の流れ>  図１１は、本実施形態のテレビシステムにおける処理方法の一例を示したものである。なお、以下に示す処理の流れは、計算機に実行させるためのプログラムで実行することができ、またこのプログラムを計算機によって読取り可能な記録媒体に記録することができる。（本明細書のその他の処理の流れについても同様である。）
【００５９】
まず、操作装置は表面をなぞったりタップしたりするタッチ方法により入力を受け付ける（タッチ入力ステップ  Ｓ１１０１）。次に、操作装置は、受け付けたタッチ入力信号から操作命令を生成し、テレビ装置に対して出力する（操作命令出力ステップ  Ｓ１１０２）。続いて、操作装置はタッチ入力部にて次に可能な操作を示す次操作ＩＤを取得する（次操作ＩＤ取得ステップ  Ｓ１１０３）。最後に、操作装置は取得した次操作ＩＤに応じタッチ方法案内テーブルを用いて取得する案内情報によりタッチ方法案内表示を実行する（案内表示ステップ  Ｓ１１０４）。
【００６０】
一方、テレビ装置は、操作装置の操作命令出力ステップ（Ｓ１１０２）にて出力された操作命令を受け付ける（操作命令受付ステップ  Ｓ１１０５）。次に、受け付けた操作命令から次処理ＩＤを取得する（次処理ＩＤ取得ステップ  Ｓ１１０６）。なお、次処理ＩＤは、操作命令に含まれており、そこから取得できる場合もあるし、操作命令に含まれる次操作に応じて、ＩＤテーブルを用いて次処理ＩＤを取得する場合もある。続いて、取得した次処理ＩＤに応じて処理案内テーブルを用いて取得する処理案内情報によりテレビ画面上のタッチ方法に応じた位置に処理案内表示を実行する（処理案内表示ステップ  Ｓ１１０７）。
【００６１】
<効果>  本実施形態は、テレビ装置と、実施形態１の操作装置とからなるテレビシステムであり、テレビ装置は、テレビ画面上のタッチ方法に応じた位置に処理案内表示を実現する。これによって、操作装置の表面への表示のみでは表示しきれない情報についてもテレビ装置の表示画面へ表示可能となるため、利用者の利便性をより高める効果が期待できる。
【図面の簡単な説明】
【００６２】
【図１】実施形態１を説明するための概念図
【図２】実施形態１の機能ブロックの一例を示した図
【図３】実施形態１の状態遷移の一例を示した図
【図４】実施形態１の案内表示の一例を示した図
【図５】実施形態１のハードウェア構成の一例を示した図
【図６】実施形態１の処理の一例の流れを示した図
【図７】実施形態１の詳細な処理の一例の流れを示した図
【図８】実施形態２を説明するための概念図
【図９】実施形態２の機能ブロックの一例を示した図
【図１０】実施形態２のハードウェア構成の一例を示した図
【図１１】実施形態２の処理の一例の流れを示した図
【符号の説明】
【００６３】
０２００    操作装置
０２０１    タッチ入力部
０２０２    次操作ＩＤ取得部
０２０３    タッチ方法案内テーブル保持部
０２０４    案内表示部
【図１】
2010146063.tif 000003
【図２】
2010146063.tif 000004
【図３】
2010146063.tif 000005
【図４】
2010146063.tif 000006
【図５】
2010146063.tif 000007
【図６】
2010146063.tif 000008
【図７】
2010146063.tif 000009
【図８】
2010146063.tif 000010
【図９】
2010146063.tif 000011
【図１０】
2010146063.tif 000012
【図１１】
2010146063.tif 000013